(57)【要約】  【課題】  下段の足場板上から上段の足場板周囲に手摺を設置、或いは取り外しが可能で、かつ強固な固定ができて安全であるＨ型建枠の枠組足場用手摺を提供する。  【解決手段】  手摺１は、水平材２と、この水平材２の両端部付近にそれぞれ回動自在に軸支した一対の斜材３とから成る。前記水平材２の両端にはＨ型建枠Ｂの脚柱Ｄ上端部に嵌着する連結ジョイントＦに挿入可能な透孔を穿設した取付部４を取着する。また、斜材３の遊端部には対向側の脚柱Ｄ側面の筋交いピンＩに挿入させるピン孔５を穿設する。そして、作業者は安全な下段の足場板Ｃ上から、斜材３を両手で持って手摺１を持ち上げ、水平材２両端の取付部４を上段のＨ型建枠Ｂの連結ジョイントＦに挿入した後、斜材３を対向側の脚柱Ｄの筋交いピンＩに挿入して掛け止め、上段の足場の手摺を先行して設置する。【選択図】  図１
2005042452.tif 000002
【特許請求の範囲】
【請求項１】
Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに挿入できる透孔を穿設した取付片を取着する一方、前記斜材の遊端部には対向側の脚柱側面に突設した筋交いピンに挿入するピン孔を穿設したことを特徴とするＨ型建枠の枠組足場用手摺。
【発明の詳細な説明】
【技術分野】
【０００１】
本発明は、土木、建築などの工事現場において、建築物の外壁などに沿って設置する枠組足場に取り付けられる枠組足場用手摺に関し、特にＨ型建枠から成る枠組足場に取り付けられるＨ型建枠の枠組足場用手摺に関する。
【背景技術】
【０００２】
従来より枠組足場用の建枠としては鳥居形状をした建枠がよく知られているが、最近では脚柱の中央部付近を横架材で接合して略Ｈ形状としたＨ型建枠も多く採用されており、このＨ型建枠を用いて枠組足場を組み上げる時には、隣接する各建枠の中央高さ位置にある横架材同士に足場板を掛け渡すと共に、この足場板を境として上下位置に筋交いをそれぞれ取り付ける構成としている。したがって、枠組足場の組み上げ、或いは解体の途中であっても、枠組足場の最上階部分の足場板周囲には必ずＨ型建枠の脚柱上部が突出しているため、別途手摺柱などを設置せずとも前記脚柱へ筋交いや手摺材などを取り付ければ迅速かつ容易に手摺を設置することができ、危険を伴う枠組足場の最上階部分での作業の安全性を早期に確保することができる。
【０００３】
ところが、Ｈ型建枠を採用して上記のように枠組足場の最上階部分に手摺を設置、或いは取り外すとしても、これらの作業は周囲に手摺のない状態で行われるため、結局その間は作業者に危険な作業を強いることになり、作業安全上問題がないとは言えないものであった。
【０００４】
そこで、こうした危険を解消するために、特許文献１では、手摺の両端部にＨ型建枠の筋交いピンへ係止可能なピン孔を備え、該ピン孔にはピンの外れ止めを解除せずに挿入できる拡大孔部を有し、またその拡大孔部の下端部を開放した手摺が記載されている。この手摺では、先ず手摺のピン孔の拡大部をＨ型建枠の筋交いピンに嵌め込み、手摺を横へスライドさせて仮固定するようにしている。したがって、この手摺を採用すれば、作業者は危険な最上階の足場板上に上がらずとも、周囲に手摺が設置された安全な一段下の足場板上にいながらにして、最上階の足場板周囲へ手摺を容易に先行させて設置することができ、Ｈ型建枠の枠組足場に対して作業の安全性が期待できる手摺であると言える。
【特許文献１】特開平１１−３２４３０５号公報
【発明の開示】
【発明が解決しようとする課題】
【０００５】
しかしながら、上記手摺のピン孔は拡大孔部としており、またその下部を開放した構造としているため、Ｈ型建枠の筋交いピンへの着脱作業は行いやすいものの、取り付け時の固定力不足が危惧される。
【０００６】
本発明は上記の点に鑑み、下段の足場板上から上段の足場板周囲に手摺を設置、或いは取り外しが可能で、かつ強固な固定ができて安全であるＨ型建枠の枠組足場用手摺を提供することを課題とする。
【課題を解決するための手段】
【０００７】
上記の課題を解決するために、本発明のＨ型建枠の枠組足場用手摺にあっては、Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに挿入できる透孔を穿設した取付片を取着する一方、前記斜材の遊端部には対向側の脚柱側面に突設した筋交いピンに挿入するピン孔を穿設したことを特徴としている。
【発明の効果】
【０００８】
本発明に係るＨ型建枠の枠組足場用手摺によれば、手摺を水平材と、該水平材の両端部付近にそれぞれ回動自在に軸支した一対の斜材とから構成し、前記水平材の両端部にはＨ型建枠の脚柱上端部に嵌着した連結ジョイントに挿入できる透孔を穿設した取付片を取着する一方、前記斜材の遊端部には対向側の脚柱側面に突設した筋交いピンに挿入するピン孔を穿設したので、作業者は安全な下段の足場板上にいながら手摺を持ち上げて上段の足場板周囲に手摺を設置、或いは取り外すことが可能であり、作業者の安全を確保できる。また、手摺の水平材両端の透孔を穿設した取付部をＨ型建枠の脚柱の連結ジョイントに挿入させて固定するので、手摺が強固に固定できて安全である。
【発明を実施するための最良の形態】
【０００９】
本発明に係わるＨ型建枠の枠組足場用手摺によれば、Ｈ型建枠から成る枠組足場を上方向へ組み上げていく際などに、枠組足場の最上階部分の周囲に先行して手摺を設置する場合には、作業者は一段下の安全な足場板上から作業をすることになる。手摺は水平材と、該水平材の両端部にそれぞれ回動自在に軸支した一対の斜材とから構成され、作業者は先ず手摺の一対の斜材を水平材に対してそれぞれ略直交方向に回動させた後、各斜材の遊端部をそれぞれ左右の手に持って持ち上げ、水平材を最上階に突出しているＨ型建枠の脚柱の上位へ位置させる。そして、水平材の両端部の取付片に穿設した透孔を脚柱上端部に嵌着した連結ジョイント上位に臨ませ、そのまま下方へ下ろして連結ジョイントに挿入させる。
【００１０】
前記連結ジョイントには上位の建枠を連結固定するロックピンがあり、該ロックピンをロック解除状態として鍵形状の係止部を下方向へ回動させて回避させておけば、連結ジョイントへ挿入させた水平材の取付部はロックピンの水平棒体部分の上面に引っ掛かって止まる。次に、水平材をその状態のまま維持させながら斜材を回動させ、その遊端部に穿設したピン孔を対向側の脚柱側面に突設した筋交いピンに挿入させて固定する。そして、上段の隣接するＨ型建枠の横架材間に足場板を架設し、作業者はこの最上階の足場板上へと上がると、最上階の足場板周囲には既に手摺が設置された状態となっていて作業安全上の問題はない。
【００１１】
また、枠組足場を解体する場合には、上記手順を逆に行うこととなり、作業者は、枠組足場の最上階部分の周囲に手摺が設置されている状態で、下段の足場板上に降り、最上段に架設していた足場板を取り外す。続いて、各斜材の遊端部のピン孔と筋交いピンとの係止を解除し、各斜材を水平材に対してそれぞれ直交方向へ回動させた後、各斜材の遊端部を左右の手で持って上方へ持ち上げ、水平材両端の取付部を連結ジョイントから抜き出して手摺の取り外しを完了する。
【００１２】
このように、作業者は安全な下段の足場板上から上段の足場板周囲に手摺を先行させて設置、或いは取り外すことができ、Ｈ型建枠の枠組足場の組み上げ、或いは解体作業時における作業者の安全を確保できる。また、手摺の水平材両端の透孔を穿設した取付部を建枠の脚柱上端部の連結ジョイントに挿入すると共に、手摺の斜材遊端部のピン孔を筋交いピンに係止させて手摺を取り付けるので、強固に固定できて安全な手摺となる。
【実施例】
【００１３】
以下、本発明の実施例を図１乃至図６に基づいて説明する。
【００１４】
図１乃至図４は本発明に係る手摺１を、Ｈ型建枠Ｂと足場板Ｃとを組み上げて成る枠組足場Ａに取り付けた状態を説明する図である。Ｈ型建枠Ｂは、一対の脚柱Ｄを平行に備え、各脚柱Ｄの中央部付近を横架材Ｅで接合して略Ｈ形状に形成したものであり、脚柱Ｄの上端部にはＨ型建枠Ｂ同士を上下に連結するための連結ジョイントＦを嵌着している。そして、一対のＨ型建枠Ｂを対向して立設し、各Ｈ型建枠Ｂの横架材Ｅ同士へ足場板Ｃを架設させて枠組足場Ａを形成している。
【００１５】
そして、隣接するＨ型建枠Ｂの脚柱Ｄ間には安全確保のための手摺１が掛け渡される。手摺１は、所定長さの鋼製の水平材２と、該水平材２の両端部付近にピンにて回動自在に軸支した一対の鋼製の斜材３とから成ると共に、水平材２の両端部には上下方向に開口した円形の透孔を備えた取付部４を備え、その透孔の径は連結ジョイントＦの中央のカラー体Ｇの外径よりも若干大きく形成して連結ジョイントＦに挿入可能としている。
【００１６】
前記連結ジョイントＦのカラー体Ｇには、上位のＨ型建枠Ｂの脚柱Ｄを連結保持するために、コイルバネを介装して出没自在とした水平棒体Ｈａと鍵形状に折曲した係止部Ｈｂを有する公知のロックピンＨを備えている。そして、水平材２の取付部４を連結ジョイントＦのカラー体Ｇへ挿入させる際には、図３の実線で示すように、ロックピンＨの係止部Ｈｂを下方向へ回動させてロック解除状態としておき、挿入した水平材２の取付部４が水平棒体Ｈａの上面に引っ掛かって係止されるようにしている。
【００１７】
また、前記斜材３は、その遊端部にＨ型建枠Ｂの脚柱Ｄ側面に突設している筋交いピンＩに挿入可能なピン孔５を穿設しており、水平材２の両端の取付部４を連結ジョイントＦに挿入させた状態で、各斜材３をそれぞれ対向側の脚柱Ｄへ向けて回動させると各ピン孔５と筋交いピンＩ位置とが合致し、そのままピン孔５を筋交いピンＩに挿入して掛け止めできる構成としている。
【００１８】
上記構成とした手摺１を取り付ける手順を図５に基づいて説明する。先ず、枠組足場Ａの上位へ上段のＨ型建枠Ｂを立設させる（１）（２）。次に、作業者は下段の足場板Ｃ´にいながら、手摺１の斜材３を水平材２に対して略直交方向へ回動し、各斜材３の遊端部をそれぞれ左右の手に持って持ち上げ、水平材２をＨ型建枠Ｂの脚柱Ｄの上位へ位置させ、水平材２の両端に備えた取付部４の透孔を脚柱Ｄ上端部の連結ジョイントＦ上位に臨ませる（３）。次に、この水平材２をそのまま水平状態を保ちながら下方向へ下ろしていき、水平材２両端の取付部４を連結ジョイントＦに挿入させる（４）。このとき、連結ジョイントＦのロックピンＨは予めロック解除状態としており、挿入した取付部４はロックピンＨに引っ掛かって止まる。
【００１９】
続いて、この状態で各斜材３を回動させ、遊端部のピン孔５をそれぞれ対向側の脚柱Ｄ側面の筋交いピンＩに挿入して固定する（５）（６）。そして、上段の隣接するＨ型建枠Ｂの横架材Ｅ間に足場板Ｃを架設した後（７）、作業者は最上階へ上がる。このとき、最上階の足場板Ｃ周囲には手摺１が先行して設置できていて作業者はあまり恐怖感を憶えるようなことはない。なお、引き続いてこの上段に足場を組み上げていく場合には、上記と同様の作業を繰り返していくことになる。
【００２０】
このとき、上段のＨ型建枠Ｂの取付けは、図６に示すように、カラー体Ｇに挿入した水平材２の取付部４はそのままの状態にしておき、連結ジョイントＦへ新たなＨ型建枠Ｂの脚柱Ｄを嵌入させた後、係止部Ｈｂを係止位置に戻してロック状態とし、上段のＨ型建枠Ｂの脚柱Ｄと共に水平材２の取付部４も挟持する。また、枠組足場を解体していく場合には、上記と逆の手順で作業を行えばよく、安全に作業を行うことができる。
【００２１】
このように、作業者は安全な下段の足場板上から上段の足場板周囲に先行して手摺１を設置、或いは取り外すことができ、作業者の安全を確保でき、また、手摺１の水平材２両端の取付部４をＨ型建枠Ｂの脚柱Ｄ上端の連結ジョイントＦへ挿入すると共に、手摺１の斜材３の遊端部をＨ型建枠Ｂの筋交いピンＩに取り付けるので、抜けることもなくて強固に固定できて安全である。
【図面の簡単な説明】
【００２２】
【図１】本発明に係る枠組足場用手摺をＨ型建枠の枠組足場に取り付けた状態を示す正面図である。
【図２】図１の要部拡大図である。
【図３】図２の一部を省略したＸ−Ｘ矢視図である。
【図４】図２の一部を省略した平面図である。
【図５】本発明に係る枠組足場用手摺をＨ型建枠の枠組足場に取り付ける作業手順を示す説明図である。
【図６】上段のＨ型建枠を連結した状態の図３に相当する図である。
【符号の説明】
【００２３】
１…手摺                      ２…水平材
３…斜材                      ４…取付部
５…ピン孔
Ａ…枠組足場                  Ｂ…Ｈ型建枠
Ｃ…足場板                    Ｄ…脚柱
Ｅ…横架材                    Ｆ…連結ジョイント
Ｇ…カラー体                  Ｈ…ロックピン
Ｉ…筋交いピン
【図１】
2005042452.tif 000003
【図２】
2005042452.tif 000004
【図３】
2005042452.tif 000005
【図４】
2005042452.tif 000006
【図５】
2005042452.tif 000007
【図６】
2005042452.tif 000008